(57)【要約】【課題】灰皿のスペース以外に新たにスペースを設けることなく、吸殻以外の物であって遊技者が所有する物を保持することを可能にする。【解決手段】灰皿２５は灰皿本体３０と付属部品３１とからなる。灰皿本体３０は吸殻を収納する吸殻収納部３３と、その吸殻収納部３３が設けられた設置面と略平行な第１面と反対の第２面３４ａ側にある付属部品設置部３４を備える。この付属部品設置部３４に付属部品３１が組み付けられる。付属部品３１の上部には缶３８をリング内に収納保持するホルダリング３７が設けられる。灰皿保持機構２６は、一対の保持部材４５，４６から構成される。一対の保持部材４５，４６は、吸殻収納部３３を使用する位置、またはホルダリング３７を使用する位置とのいずれかの位置で灰皿２５を保持する。【選択図】図３
2008061873.tif 000002
【特許請求の範囲】
【請求項１】
吸殻を収納する吸殻収納部が設けられた灰皿と、前記灰皿が回転自在に組み付けられた遊技機本体とを備えた遊技機において、
前記灰皿は、前記吸殻収納部を備えた灰皿本体と、
前記灰皿本体に設けたガイド部に着脱自在に組み付けられ、前記吸殻以外の物であって遊技者が所有する物を収納保持する所有物収納部を備えた付属部品と、から構成され、
前記吸殻収納部を使用する位置、または前記所有物収納部を使用する位置のいずれかの位置において前記灰皿を保持する保持機構を備えたことを特徴とする遊技機。
【請求項２】
前記灰皿本体が前記所有物収納部を使用する位置にあるときには、組み付けられた前記付属部品は前記灰皿本体からの着脱が不能となることを特徴とする請求項１記載の遊技機。
【請求項３】
前記所有物収納部には、遊技者が所有する携帯型電話機と、前記遊技機本体とを電気的に接続させる接続手段が設けられたことを特徴とする請求項１または２記載の遊技機。
【発明の詳細な説明】
【技術分野】
【０００１】
本発明は、パチンコ店などの遊技場に配設されるパチンコ機やスロットマシン等の遊技機に関するものである。
【背景技術】
【０００２】
パチンコ店などの遊技場には、パチンコ機やスロットマシンなどの遊技機が配設されており、遊技者は、これら遊技機の中から遊技を実行する遊技機を選択し、遊技を行っている。このような遊技機において遊技を行う遊技者の中には、煙草を吸いながら遊技を行う遊技者もいるため、パチンコ機やスロットマシンには、予め灰皿が設けられている。しかしながら、このような灰皿を使用した場合、煙草によって灰皿の表面が溶解し変形することが多く、また吸殻によって汚れることから、例えば新しい遊技機に交換した後の流通においては、灰皿を交換するなどの処置を行う必要がある。このようなことから、遊技場においては、予め島設備に灰皿を設置するなどして遊技機に設置された灰皿を使用しないようにしている場合が多い。
【０００３】
一方、遊技を行う遊技者は、遊技中に煙草を吸う他に、例えば飲み物を飲みながら、あるいは、携帯型電話機を操作することがある。例えば、飲み物を飲みながら遊技を行う場合には、飲み物が入った飲料容器を置く場所が限られていることが多く、遊技者は例えば遊技を中断したり、意図しない体勢で遊技を行う必要がある。また、携帯型電話機を使用する場合には、使用するたびに携帯型電話機を出し入れすることもあり、携帯型電話機を置くスペースが必要となる。このため、遊技者の中には、灰皿に飲料容器や携帯型電話機を置いている遊技者もいるが、灰皿は、そのような物を置くような形状となっていないことから、例えば飲料容器の場合には、飲料容器を倒したときに遊技場の床面に飲み物がこぼれる、また携帯型電話機の場合には携帯型電話機を遊技場の床面に落としてしまい、携帯型電話機の破損など、遊技者にとっては好ましくない。
【０００４】
例えば遊技機の中には、灰皿に物品ホルダを設け、煙草ケースや携帯型電話機を保持できるようにしたものが提案されている（特許文献１等）。また、この他に、灰皿底面に缶受け部を設けるとともに、灰皿底面を、灰皿を保持する保持部材の上面と同一面となるように構成し、灰皿底面と保持部材の上面とが同一面となる場合に、缶受け部と、保持部材の上面に形成され、缶受け部に隣接して缶の周縁の一部を保持する部分とからなる平坦面に缶を置くことにより、缶の横ずれ及び倒れを防止できるようにしているものが提案されている（特許文献２等）
【特許文献１】特開２００４−２０１８００号公報
【特許文献２】特開２００４−２９０４６３号公報
【発明の開示】
【発明が解決しようとする課題】
【０００５】
しかしながら、上記特許文献の発明については、灰皿の他に、特許文献１の場合であれば、灰皿の周辺に物品ホルダを取り付けるスペースを新たに割り当てなければならない。また、特許文献２の場合であれば、灰皿底面を利用することによって、新たにスペースを設けることなく、缶を保持している。しかしながら、缶を保持するために、わざわざ、保持部材の上面に缶の周縁の一部を保持する部分を形成しなければならない。また、特許文献２の発明は、缶以外の物を保持するのに適していない。
【０００６】
本発明は、灰皿のスペース以外に新たにスペースを設けることなく、吸殻以外の物であって遊技者が所有する物を保持することが可能な灰皿を備えた遊技機を提供することを目的とする。
【課題を解決するための手段】
【０００７】
上記課題を解決するために、本発明は、吸殻を収納する吸殻収納部が設けられた灰皿と、前記灰皿が回転自在に組み付けられた遊技機本体とを備えた遊技機において、前記灰皿は、前記吸殻収納部を備えた灰皿本体と、前記灰皿本体に設けたガイド部に着脱自在に組み付けられ、前記吸殻以外の物であって遊技者が所有する物を収納保持する所有物収納部を備えた付属部品と、から構成され、前記吸殻収納部を使用する位置、または前記所有物収納部を使用する位置のいずれかの位置において前記灰皿を保持する保持機構を備えたことを特徴とする。
【０００８】
前記灰皿本体が前記所有物収納部を使用する位置にあるときには、組み付けられた前記付属部品は前記灰皿本体からの着脱が不能となることを特徴とする請求項１記載の遊技機。
【０００９】
前記所有物収納部には、遊技者が所有する携帯型電話機と、前記遊技機本体とを電気的に接続させる接続手段が設けられたことが好ましい。
【発明の効果】
【００１０】
本発明によれば、灰皿のスペース以外に新たにスペースを設けることなく、吸殻以外の物であって遊技者が所有する物を保持することができる。また、煙草を吸わない遊技者にとって、利用しない灰皿のスペースを有効的に活用することができる。また、遊技者が所有する物の種類に対応させて、付属部品を臨機応変に変更することができる。
【発明を実施するための最良の形態】
【００１１】
本発明の第１実施形態について以下説明する。図１に、パチンコ機２の外観を示す。このパチンコ機２は、固定枠３に対して回動自在に組み付けられる本体部材４に、上部扉５及び下部扉６からなる２枚の前面扉７が本体部材４に対して回動自在となるように、ヒンジ部（図示省略）を介して組み付けられた構成からなる。
【００１２】
上部扉５の中央部には開口５ａが設けられており、この開口５ａは上部扉５の裏側に組み付けられるガラス等の透光性を有する部材により遮蔽されている。上部扉５が閉じているときには、この開口５ａを介して遊技領域１０を視認することが可能となる。
【００１３】
遊技領域１０には、障害釘や風車（いずれも図示省略）の他に、センター役物１１が設けられている。このセンター役物１１の中央には、液晶表示装置からなる図柄表示装置１２が露呈される。また、遊技領域１０には、スタートチャッカー１５、入賞チャッカー１６等の入賞装置の他に、アタッカ１７と呼ばれる可動入賞装置が設けられる。入賞装置に入賞しない遊技球は、アウトロ１８によって回収される。なお、これら入賞装置については周知であるため、ここでは詳細を省略する。
【００１４】
下部扉６には、受容皿２０、操作ハンドル２１が設けられる。受容皿２０は、遊技の開始の際に供給される遊技球を受容する他に、遊技領域１０を流下する遊技球が、遊技領域１０の入賞装置のいずれかに入賞したときに、払出口２２から払い出される賞球としての遊技球を受容する。操作ハンドル２１は、遊技を行う際に操作され、この操作ハンドル２１の操作を受けて、内部に設けられた打出しボリューム（図示省略）の出力値が変化する。これを受けて、遊技球の打ち出し強さが変化する。
【００１５】
図１から図３に示すように、受容皿２０の側部には灰皿２５及び灰皿を保持するための灰皿保持機構２６とが、灰皿保持機構２６の略下方にはロック装置２７が設けられている。灰皿２５は、略四角ブロック状の灰皿本体３０と、灰皿本体３０から着脱可能な付属部品３１とを備えている。
【００１６】
灰皿本体３０は、吸殻収納部３３と、吸殻収納部３３が設けられた設置面と略平行な第１面３３ａと反対の第２面３４ａ側にある付属部品設置部（ガイド部）３４と、第１面３３ａと直交する方向に延設され、その第１面３３ａの手前側端部にある係止部３５とを備えている。また、灰皿本体３０の両側面には回転軸３０ａ，３０ｂが突設している。
【００１７】
吸殻収納部３３は上面が開口された矩形状の凹部であり、吸殻を収納する。付属部品設置部３４は、灰皿本体３０の第２面３４ａの切欠きと奥側の後側面が開口された開口部とが連続するように凹む断面により形成される略コの字状の嵌合凹部であり、付属部品本体３６の形状に合わせて形成されている。係止部３５は、灰皿２５を手前側に引き出そうとするときに、後述するロック装置２７の係止片５７と当接して、灰皿２５の引き出しを規制する。係止部３５の略中央には、遊技者が吸っている煙草を一時的に保持するための円弧状の溝３５ａが形成されている。
【００１８】
付属部品３１は、付属部品本体３６と、付属部品本体３６の上面に設けられたホルダリング３７とから構成される。付属部品本体３６は、付属部品設置部３４の嵌合凹部と嵌り合うように灰皿本体３０の奥側から前側に向けスライド挿入させる略コの字状の部材である。ホルダリング３７は、缶３８をリング内に挿入して収納保持する。付属部品３１は、下部扉６に設けられた貫通孔３９を介して、灰皿本体３０の付属部品設置部３４に組み付けられる。貫通孔３９は、下部扉の表側の開口４０（図４参照）がその裏側の開口４１（図４参照）よりも小さくなるように形成されている。開口４０の大きさは、付属部品３１の大きさと略同等もしくは付属部品３１の大きさよりも若干大きい程度とされている。蓋４３は、下部扉６の裏側から貫通孔３９を塞ぐことができるように、貫通孔３９の形状に合わせて形成されている。
【００１９】
灰皿保持機構２６は、一対の柱状の保持部材４５，４６からなる。一対の保持部材４５，４６は、下部扉６から前方に突出して設けられている。一対の柱状の保持部材４５，４６の対向する面には、Ｌ字溝４７，４８が形成されている。Ｌ字溝４７は上下方向に延びる縦溝４７ａと前後方向に延びる横溝４７ｂと、Ｌ字溝４８はＬ字溝４７と同様の縦溝４８ａと横溝４８ｂとからなる。灰皿本体３０の左右の側面に設けた回転軸３０ａ，３０ｂを、Ｌ字溝４７，４８に挿入し、またはＬ字溝４７，４８から取り出すことによって、灰皿本体３０は灰皿保持機構２６からの着脱が可能となる。灰皿本体３０を着脱する以外のときは、縦溝４７ａ，４８ａのうち、横溝４７ｂ，４８ｂと交差する部分より上の部分は、覆片５０，５１によって塞がれている。これら覆片５０，５１を挿入しまたは取り出すために、縦溝４７ａ，４８ａには取出孔４７ｃ，４８ｃが形成されている。
【００２０】
ロック装置２７は、円筒状のキーシリンダ５４と、キーシリンダ５４内に設けられたシリンダ部５５とを備えている。キーシリンダ５４は、下部扉６に形成された貫通孔（図示省略）を介して、その前端部が前方に突出するように取り付けられている。係止片５７はシリンダ部５５の前端部に設けられ、キーシリンダ５４の前端部に形成されたスライド溝５４ａを介して、キーシリンダ５４の外部に露呈している。スライド溝５４ａは、係止片５７が、下部扉６に対して上方向となる立設状態の規制位置と規制位置から反時計回りに９０°回転し倒れた解除位置との間で移動できるように形成されている。係止片５７が規制位置にあるときに、灰皿本体３０の係止部３５は係止片５７により係止される。
【００２１】
シリンダ部５５の後面には、キー６０の挿入を可能とする鍵孔（図示省略）が設けられている。シリンダ部５５は、挿入されたキー６０が正規のものである場合にのみ、キー６０の回転を許可する。キー６０の回転に連動して、シリンダ部５５及びシリンダ部５５に取り付けられた係止片５７も回転する。キー６０を鍵孔に挿入して反時計回りに９０°回転させることにより、係止片５７を規制位置から解除位置に向けて（図２中Ｃ方向）回転させることができる。反対に、キー６０を時計回りに９０°回転させることにより、係止片５７を解除位置から規制位置に向けて（図２中Ｄ方向）回転させることができる。
【００２２】
次に、灰皿本体３０の付属部品設置部３４への付属部品３１の組み付け方法について、図３及び図４を用いて説明する。ここで、貫通孔３９を形成する面のうち下部扉６に対して平行となる面３９ａ、及び蓋４３の前面のうち面３９ａと対向して接合する面４３ａには、ネジ６２用のネジ孔６３及び貫通孔６４が形成されている。なお、付属部品設置部３４から付属部品３１を取り外す方法については、組み付け方法と同様であるので説明は省略する。
【００２３】
まず、キー６０を用いて、係止片５７を解除位置に移動させる。その後に、付属部品設置部３４を上面にして、灰皿本体３０の回転軸３０ａ，３０ｂを、Ｌ字溝４７，４８の横溝４７ｂ，４８ｂの奥側の後端部に位置させる。そして、図４（Ａ）に示すように、ネジ６２をネジ孔６３及び貫通孔６４から外して、蓋４３を貫通孔３９から取り外す。キー６０を用いて、係止片５７を規制位置に移動させる。そして、図４（Ｂ）に示すように、付属部品３１を、貫通孔３９を介して、付属部品設置部３４に組み付ける。さらに、図４（Ｃ）に示すように、蓋４３を貫通孔３９に嵌めて、ネジ６２をネジ孔６３及び貫通孔６４に挿入させる。なお、係止片５７を規制位置に位置させておくことで、灰皿２５を手前側に引き出そうとする（図４中Ｅ方向）ときに、係止片５７と灰皿本体３０の係止部３５とが当接し、灰皿２５の引き出しが規制される。これにより、悪戯などで、付属部品３１が持ち出されることが防止される。なお、貫通孔３９を介して付属部品３１を組み付けるようにしなくても、後述する図５（Ｃ）の状態において、付属部品３１を組み付けて、灰皿２５を回転させるようにしてもよい。また、付属部品設置部３４を下面にして、灰皿本体３０の回転軸３０ａ，３０ｂをＬ字溝４７，４８に挿入した場合には、回転軸３０ａ，３０ｂを横溝４７ｂ，４８ｂの手前側の端部にスライドさせてから、１８０°回転させて、付属部品設置部３４を上面にした後に、回転軸３０ａ，３０ｂを横溝４７ｂ，４８ｂに沿って奥側の端部にまでスライドさせる。
【００２４】
次に、付属部品設置部３４が上面となる位置から吸殻収納部３３を使用する位置に灰皿２５を移動させる方法について、図３及び図５を用いて説明する。付属部品３１については、予め付属部品設置部３４から取り外してある。なお、吸殻収納部３３を使用する位置から付属部品設置部３４が上面となる位置に灰皿２５を移動させる方法についても同様であるため、説明は省略する。
【００２５】
まず、付属部品設置部３４が上面となるように、灰皿本体３０の回転軸３０ａ，３０ｂを、Ｌ字溝４７，４８に挿入し、Ｌ字溝４７，４８の横溝４７ｂ，４８ｂの奥側の端部に位置させる。Ｌ字溝４７，４８に覆片５０，５１を挿入する。そして、図５（Ａ）に示すように、キー６０を用いて、係止片５７を解除位置に移動させる。灰皿２５を手前に引くこと（図５中Ｆ方向）により、回転軸３０ａ，３０ｂがＬ字溝４７，４８の横溝４７ｂ，４８ｂにおける奥側の端部から手前側の端部に移動する。これにより、灰皿２５は回転可能となる。そして、図５（Ｂ）に示すように、付属部品設置部３４を下方に向けるようにして、灰皿２５を回転させる（図５中Ｇ方向）。さらに、図５（Ｃ）に示すように、灰皿２５を押し込むこと（図５中Ｈ方向）により、回転軸３０ａ，３０ｂを横溝４７ｂ，４８ｂにおける奥側の端部に移動させる。これにより、灰皿２５が、吸殻収納部３３を使用する位置に移動する。なお、灰皿２５の回転方向については、時計回りの方向（図５中Ｋ方向）であってもよい。
【００２６】
なお、図６に示すように、缶３８を収納保持する付属部品３１に代えて、携帯電話機７０を収納保持する付属部品７１を付属部品設置部３４に組み付けてもよい。付属部品７１は、携帯電話機７０が収納保持されたときに、携帯電話機７０の充電や携帯電話機７０への各種情報の提供を行う。
【００２７】
付属部品７１は、付属部品本体３６と同様の形状の略コの字状であり、その上部には携帯電話機７０を収納保持する携帯収納部７１ａが形成されている。携帯収納部７１ａは上面が開口された矩形状の凹部である。携帯収納部７１ａの底面には、携帯電話機７０の接点７０ａに対応する位置に、接点７３が設けられている。付属部品７１の奥側の後側面には、後述するコネクタ８３（図７参照）が差し込まれる差込口７５が設けられてる。差込口７５と接点７３とは、配線７６（図７参照）によって接続されている。
【００２８】
図７に示すように、下部扉６の裏側には電力供給装置８０及び遊技制御装置８１が設置されている。電力供給装置８０及び遊技制御装置８１からは、配線８２が延びている。配線８２の先端にはコネクタ８３が取り付けられている。また、下部扉６の貫通孔３９を塞ぐ蓋８５には、コネクタ８３を付属部品７１の差込口７５に差し込むための差込孔８７が形成されている。なお、蓋８５については、差込口８７が形成されている以外は蓋４３と同等のものである。
【００２９】
図８に示すように、コネクタ８３が差込口７５に差し込まれた状態で、携帯電話機７０が携帯収納部７１ａに載置されると、接点７０ａと接点７３とが接触し、電力供給装置８０から電力が、または遊技制御装置８１から各種情報が、配線８２を介して、携帯電話機７０に送られる。
【００３０】
本発明の第２実施形態は、図９に示すように、略コの字状の付属部品に代えて、箱形状の付属部品９０を用いる。灰皿９１の灰皿本体９２は、吸殻収納部９３と、吸殻収納部９３が設けられた面と反対側の面に付属部品設置部（ガイド部）９４を備えている。吸殻収納部９３は矩形状の凹部であり、吸殻を収納する。
【００３１】
付属部品設置部９４は付属部品９０の形状に対応して切欠き形成されており、上面及び手前側が開口された凹形状である。付属部品設置部９４の左右の側面には、ガイド片９５，９６が、付属部品設置部９４の手前側の開口から奥に向かう方向に設けられている。また、灰皿本体９２の前面に上下方向にスライド自在な係止片９８が、付属部品設置部９４の手前側の角から突出するように、灰皿本体９２の略中央に取り付けられている。係止片９８は、灰皿本体内に設けられたバネ（図示省略）により、付属部品設置部９４の手前側の角から突出する方向（図７中Ｎ方向）に付勢されている。係止片９８は、付属部品９０が付属部品設置部９４に組み付けられた際に、付属部品９０を係止する。ここで、保持部材については、同一の符号を付してある。また、下部扉には第１実施形態のような貫通孔３９を形成しないため、第１実施形態と異なる別の符号１００を付してある。
【００３２】
一方、付属部品９０の左右の両側面には、付属部品設置部９４のガイド片９５，９６に対応する位置に、挿入溝１０１，１０２が設けられている。また、付属部品９０の上面には、缶１０４を収納保持する缶収納部９０ａが形成されている。缶収納部９０ａは上面が開口された円柱状の凹部である。なお、付属部品設置部にガイド片を、付属部品に挿入溝を設けたが、反対に、付属部品設置部に挿入溝を設け、付属部品にガイド片を設けてもよい。
【００３３】
付属部品９０を付属部品設置部９４に組み付ける際には、まず、係止片９８を付属部品設置部９４の手前側の角から退避する位置に押し下げる（図７中Ｍ方向）。係止片９８を押し下げた状態で、付属部品９０の挿入溝１０１，１０２に付属部品設置部９４のガイド片９５，９６を挿入させる。付属部品９０を付属部品設置部９４の奥まで挿入させた後に、係止片９８の押し下げを解除し、係止片９８を付属部品設置部９４の手前側の角から突出した位置に戻して（図７中Ｎ方向）、付属部品９０を付属部品設置部９４に係止する。これにより、付属部品９０が付属部品設置部９４に組み付けられる。
【００３４】
なお、第１実施形態及び第２実施形態では、一対の保持部材を下部扉に直接に設けたが、下部扉とは別体の部材にその一対の保持部材を設け、その別体の部材を下部扉に取り付けてもよい。例えば、図１０に示すように、下部扉１００とは別体の取付板１０７に一対の保持部材１０８，１０９を設ける。取付板１０７には、一対の保持部材１０８，１０９が設けられた面とは反対の面に、接着テープ１１０が貼り付けられている。この接着テープ１１０は両面テープであり、取付板１０７に貼り付けられた面と反対の面を下部扉１００の取付エリア１００ａに接着させることによって、取付板１０７を下部扉１００に取り付ける。必要に応じて、接着テープ１１０を下部扉１００から剥がして、取付板１０７を外すことによって、灰皿９１だけでなく一対の保持部材１０８，１０９も撤去することが可能となる。これにより、撤去した部分を有効的に活用することができる。なお、下部扉１００と取付板１０７との取付け方法は接着テープ１１０に限らず、周知のビス止め等の方法であってもよい。
【００３５】
なお、第１実施形態においては、缶をホルダリングに、携帯電話機を上面が開口された矩形状の凹部に収納保持し、第２実施形態では、缶を上面が開口された円柱状の凹部に収納保持したが、これに限らず、缶や携帯電話機を収納保持できる形状もしくは部品であればよい。
【００３６】
なお、第１実施形態では、灰皿本体とは別体の付属部品にホルダリングまたは携帯収納部を、第２実施形態では、灰皿本体とは別体の付属部品に缶収納部を設けたが、灰皿本体に直接に缶収納部または携帯収納部を設けてもよい。また、第１実施形態においては、付属部品を、吸殻収納部が設けられた面と反対側の面に設けられた付属部品設置部に組み付けたが、吸殻収納部を覆うようにして、付属部品を灰皿本体に組み付けてもよい。また、第２実施形態においては、吸殻収納部が設けられた面及びその面と反対側の面以外の残りの面に付属部品設置部を設けて、その付属部品設置部に付属部品を組み付けてもよい。
【００３７】
なお、第１実施形態及び第２実施形態において、付属部品は、缶や携帯電話機を収納保持できるものに限らず、缶や携帯電話機以外の遊技者が所有する物を収納保持できるものであることが好ましい。したがって、遊技者が所有する物の形状に対応させて、複数種類の付属部品を揃えておくことが好ましい。
【００３８】
なお、第１実施形態及び第２実施形態では、吸殻収納部を備えた灰皿本体に対して、缶または携帯電話機を収納保持する付属部品を組み付けたが、反対に、缶を収納保持するドリンクホルダ本体、または携帯電話機を収納保持する携帯ホルダ本体に対して、吸殻収納部等を備えた付属部品を組み付けてもよい。
【図面の簡単な説明】
【００３９】
【図１】パチンコ機を示す斜視図である。
【図２】第１実施形態における灰皿及び灰皿保持機構を示す斜視図である。
【図３】第１実施形態におけるホルダリングが取り付けられた付属部品を示す斜視図である。
【図４】第１実施形態における付属部品設置部への付属部品の組み付けを示す断面図である。
【図５】第１実施形態における灰皿の移動を示す断面図である。
【図６】第１実施形態における携帯収納部が設けられた付属部品を示す斜視図である。
【図７】第１実施形態における付属部品の携帯収納部の周辺を示す断面図である。
【図８】第１実施形態における携帯電話機が携帯収納部に載置されるときの断面図である。
【図９】第２実施形態における缶収納部が設けられた付属部品を示す斜視図である。
【図１０】第２実施形態における一対の保持部材が設けられた取付板を示す斜視図である。
【符号の説明】
【００４０】
２  パチンコ機（遊技機）
２５  灰皿
２６  灰皿保持機構（保持機構）
３０  灰皿本体
３１  付属部品
３３  吸殻収納部
３４  付属部品設置部（ガイド部）
４１  ホルダリング（所有物収納部）
４５，４６  一対の保持部材（保持機構）
７１  付属部品
７１ａ  携帯収納部（所有物収納部）
７３  接点（接続手段）
７５  差込口（接続手段）
７６  配線（接続手段）
９０  付属部品
９０ａ  缶収納部（所有物収納部）
９１  灰皿
９４  付属部品設置部（ガイド部）
９５，９６  ガイド片
１０１，１０２  挿入溝
１０８，１０９  一対の保持部材（保持機構）
【図１】
2008061873.tif 000003
【図２】
2008061873.tif 000004
【図３】
2008061873.tif 000005
【図４】
2008061873.tif 000006
【図５】
2008061873.tif 000007
【図６】
2008061873.tif 000008
【図７】
2008061873.tif 000009
【図８】
2008061873.tif 000010
【図９】
2008061873.tif 000011
【図１０】
2008061873.tif 000012